(57)【要約】【課題】浄水器の取り付け及び別置式浄水器に接続できない浄水カートリッジ内蔵水洗金具に対して、浄水器の取り付け可能且つ別置式浄水器に接続可能な交換用水栓金具を提供するものである。【解決手段】水道水配管に固定されたフレキブルホース４が出し入れ可能な給水部５に着脱可能に接続される浄水カートリッジ内蔵水洗金具と交換可能な交換用水洗金具であって、交換用水洗金具１の先端の吐水口２が浄水器３に取り付けできるとともに別置き式の浄水器のホースに接続可能であり、後端がフレキブルホース４に接続具１０を介して接続可能である交換用水洗金具。【選択図】図１
0003127928.tif 000002
【実用新案登録請求の範囲】
【請求項１】
水道水配管に固定されたフレキブルホースが出し入れ可能な給水部に着脱可能に接続される浄水カートリッジ内蔵水洗金具と交換可能な交換用水洗金具であって、交換用水洗金具の先端の吐水口が浄水器に取り付けできるとともに別置き式の浄水器のホースに接続可能であり、後端がフレキブルホースに接続具を介して接続可能であることを特徴とする浄水カートリッジ内蔵水洗金具と交換可能な交換用水洗金具。
【請求項２】
交換用水洗金具の給水部側の端部の挿入筒の外周に、給水部の接続筒の内周の回り止め溝あるいは回り止め突起と係合する、回り止め突起あるいは回り止め溝を設けたことを特徴とする請求項１記載の交換用水洗金具。
【考案の詳細な説明】
【技術分野】
【０００１】
本考案は、種類の異なる水栓金具と交換できる交換用水栓金具に関する。
【背景技術】
【０００２】
水道水の安全性を高め且つ美味しくするために、水道水を浄化する浄水器が利用されている。浄水器には、水栓金具の蛇口に直接取り付ける方式のもの、浄水器を別置にして浄化した浄水を水栓に供給する方式のもの、水栓金具内に浄水カートリッジを内蔵させる方式のものがある。
【０００３】
図３（ａ）は従来の浄水カートリッジ内蔵水洗金具を給水部に接続した状態を示す一部切り欠き断面図、（ｂ）は水洗金具を引き出した状態を示す一部切り欠き断面図である。
【０００４】
図３において、浄水カートリッジ内蔵水栓２１は、浄水カートリッジ２２が交換可能に内蔵された水栓金具の下端にフレキブルホース４が接続され、給水部５から引き出し可能に接続され、浄水カートリッジ２２は水栓金具２１から吐水口２３を外して交換できるようになっている（特許文献１参照）。
【特許文献１】特開２００３−１８４１４６号公報
【考案の開示】
【考案が解決しようとする課題】
【０００５】
前記の浄水カートリッジ内蔵水洗金具は、浄水カートリッジの浄水能力が小さいため、蛇口に取り付ける浄水器、別置き式の浄水器に比べてカートリッジの寿命が短いので、短期間で交換しなくてはならないという欠点がある。そこで、寿命が長い浄水能力の大きい浄水器を蛇口に取り付けたり、別置式浄水器にホースで接続しようとしても、浄水カートリッジ内蔵水洗金具の蛇口では浄水器の取り付け、別置式浄水器のホースの接続ができないという問題があった。
【０００６】
そこで、本考案は、浄水器の取り付け及び別置式浄水器に接続できない浄水カートリッジ内蔵水洗金具に対して、浄水器の取り付け可能且つ別置式浄水器に接続可能な交換用水栓金具を提供するものである。
【課題を解決するための手段】
【０００７】
本考案は、水道水配管に固定されたフレキブルホースが出し入れ可能な給水部に着脱可能に接続される浄水カートリッジ内蔵水洗金具と交換可能な交換用水洗金具であって、交換用水洗金具の先端の吐水口が浄水器に取り付けできるとともに別置き式の浄水器のホースに接続可能であり、後端がフレキブルホースに接続具を介して接続可能であることを特徴とする。
【０００８】
前記構成に置いて、交換用水洗金具の給水部側の端部の挿入筒の外周に、給水部の接続筒の内周の回り止め溝あるいは回り止め突起と係合する、回り止め突起あるいは回り止め溝を設ける。
【考案の効果】
【０００９】
本考案は、従来の浄水カートリッジ内蔵水洗金具を交換して交換用水洗金具の吐水口に浄水器を取り付けあるいは別置き式の浄水器のホースに接続することにより浄水能力を向上させることができる。
【考案を実施するための最良の形態】
【００１０】
図１（ａ）は本考案による交換用水洗金具を給水部に接続した状態を示す一部切り欠き断面図、（ｂ）は水洗金具を引き出した状態を示す一部切り欠き断面図である。図２は本考案の交換用水洗金具とフレキブルホースの接続部を示す断面図である。
【００１１】
図１において、交換用水洗金具1の先端の吐水口２は浄水器３が取り付け可能かつ別置き式の浄水器のホースに接続可能であり、後端は水道水配管に接続されたフレキブルホース４に接続可能となっている。交換用水洗金具１は、水道水配管に固定された給水部５に着脱可能に接続される。
【００１２】
交換用水洗金具１の端部には、給水部５の接続筒６に挿入される挿入筒７が形成されている。挿入筒７の外周には回り止め突起８が形成され、給水部５の接続筒６の内周には、挿入筒７の回り止め突起８が案内される回り止め溝９が形成され、回り止め突起８と回り止め溝９が係合して交換用水洗金具１が回転するのを防止する。なお、回り止め突起８と回り止め溝９は、既設の水栓では、本実施例と逆に、挿入筒の外周に回り止め溝を設け、給水部の接続筒の内周に回り止め突起を設けて回り止めするものあるので、挿入筒の外周には給水部の接続筒の内周の回り止め溝あるいは回り止め突起のいずれにも係合する、回り止め突起と回り止め溝を併設することもできる。
【００１３】
交換用水洗金具１の挿入筒７の空間には、フレキブルホース４を接続するとともに、水を吐水口２に向けて通水するホース接続用通水管１０が給水部側に突出している。ホース接続用通水管１０との端部と給水部から引き出されたフレキブルホース４の端部は、従来の水洗金具とホースの接続と同様に、ねじ込み式にしたり、あるいは接続具１１により水密に接続してもよい。
【００１４】
本考案の交換用水洗金具の交換方法について説明する。
【００１５】
給水部５に接続されていた既設の浄水カートリッジ内蔵水洗金具を給水部５から引き出したのち、フレキブルホース４の端部とホース接続用通水管の端部を接続している接続具１１を外してフレキブルホース４から既設の水洗金具を外す。
【００１６】
次いで、交換用水洗金具１のホース接続用通水管１０とフレキブルホースの端部を接続具１１により接続する。その後、交換用水洗金具１の吐水口２に浄水器３を取り付けるか、あるいは別置き式の浄水器のホースを接続することにより浄水能力をアップさせることができる。
【図面の簡単な説明】
【００１７】
【図１】（ａ）は本考案による交換用水洗金具を給水部に接続した状態を示す一部切り欠き断面図、（ｂ）は水洗金具を引き出した状態を示す一部切り欠き断面図である。
【図２】本考案の交換用水洗金具とフレキブルホースの接続部を示す断面図である。
【図３】従来の浄水カートリッジ内蔵水洗金具を給水部に接続した状態を示す一部切り欠き断面図、（ｂ）は水洗金具を引き出した状態を示す一部切り欠き断面図である。
【符号の説明】
【００１８】
１：交換用水洗金具
２：吐水口
３：浄水器
４：フレキブルホース
５：給水部
６：接続筒
７：挿入筒
８：回り止め突起
９：回り止め溝
１０：ホース接続用通水管
１１：接続具
２１：浄水カートリッジ内蔵水栓
２２：浄水カートリッジ
２３：吐水口
【図１】
0003127928.tif 000003
【図２】
0003127928.tif 000004
【図３】
0003127928.tif 000005
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
浄水カートリッジ内蔵水洗金具が接続され、水道水配管に固定されたフレキシブルホースが出し入れ可能な、先端に接続筒を備えた給水部に、浄水器が取り付けでき且つ別置き式の浄水器のホースに接続できる吐水口を先端に備えた、浄水カートリッジ内蔵水洗金具と交換する交換用水洗金具において、前記交換用水洗金具の前記吐水口と反対側の後端に、前記給水部の前記接続筒に挿入される挿入筒が設けられ、さらに前記挿入筒の空間に前記フレキシブルホースに接続具を介して接続されて前記吐水口に向けて通水するホース接続用通水管が給水部側に突出して設けられていることを特徴とする浄水カートリッジ内蔵水洗金具と交換する交換用水洗金具。
【請求項２】
前記挿入筒の外周に、前記接続筒の内周の回り止め溝あるいは回り止め突起と係合する、回り止め突起あるいは回り止め溝を設けたことを特徴とする請求項１記載の浄水カートリッジ内蔵水洗金具と交換する交換用水洗金具。
【手続補正２】
【補正対象書類名】明細書
【補正対象項目名】全文
【補正方法】変更
【補正の内容】
【考案の詳細な説明】
【技術分野】
【０００１】
本考案は、種類の異なる水栓金具と交換できる交換用水栓金具に関する。
【背景技術】
【０００２】
水道水の安全性を高め且つ美味しくするために、水道水を浄化する浄水器が利用されている。浄水器には、水栓金具の蛇口に直接取り付ける方式のもの、浄水器を別置にして浄化した浄水を水栓に供給する方式のもの、水栓金具内に浄水カートリッジを内蔵させる方式のものがある。
【０００３】
図３（ａ）は従来の浄水カートリッジ内蔵水洗金具を給水部に接続した状態を示す一部切り欠き断面図、（ｂ）は水洗金具を引き出した状態を示す一部切り欠き断面図である。
【０００４】
図３において、浄水カートリッジ内蔵水栓２１は、浄水カートリッジ２２が交換可能に内蔵された水栓金具の下端にフレキシブルホース４が接続され、給水部５から引き出し可能に接続され、浄水カートリッジ２２は水栓金具２１から吐水口２３を外して交換できるようになっている（特許文献１参照）。
【特許文献１】特開２００３−１８４１４６号公報
【考案の開示】
【考案が解決しようとする課題】
【０００５】
前記の浄水カートリッジ内蔵水洗金具は、浄水カートリッジの浄水能力が小さいため、蛇口に取り付ける浄水器、別置き式の浄水器に比べてカートリッジの寿命が短いので、短期間で交換しなくてはならないという欠点がある。そこで、寿命が長い浄水能力の大きい浄水器を蛇口に取り付けたり、別置式浄水器にホースで接続しようとしても、浄水カートリッジ内蔵水洗金具の蛇口では浄水器の取り付け、別置式浄水器のホースの接続ができないという問題があった。
【０００６】
そこで、本考案は、浄水器の取り付け及び別置式浄水器に接続できない浄水カートリッジ内蔵水洗金具に対して、浄水器の取り付け可能且つ別置式浄水器に接続可能な交換用水栓金具を提供するものである。
【課題を解決するための手段】
【０００７】
本考案は、浄水カートリッジ内蔵水洗金具が接続され、水道水配管に固定されたフレキシブルホースが出し入れ可能な、先端に接続筒を備えた給水部に、浄水器が取り付けでき且つ別置き式の浄水器のホースに接続できる吐水口を先端に備えた、浄水カートリッジ内蔵水洗金具と交換する交換用水洗金具において、前記交換用水洗金具の前記吐水口と反対側の後端に、前記給水部の前記接続筒に挿入される挿入筒が設けられ、さらに前記挿入筒の空間に前記フレキシブルホースに接続具を介して接続されて前記吐水口に向けて通水するホース接続用通水管が給水部側に突出して設けられていることを特徴とする。
【０００８】
前記構成において、挿入筒の外周に、給水部の接続筒の内周の回り止め溝あるいは回り止め突起と係合する、回り止め突起あるいは回り止め溝を設ける。
【考案の効果】
【０００９】
本考案は、従来の浄水カートリッジ内蔵水洗金具を交換して交換用水洗金具の吐水口に浄水器を取り付けあるいは別置き式の浄水器のホースに接続することにより浄水能力を向上させることができる。
【考案を実施するための最良の形態】
【００１０】
図１（ａ）は本考案による交換用水洗金具を給水部に接続した状態を示す一部切り欠き断面図、（ｂ）は水洗金具を引き出した状態を示す一部切り欠き断面図である。図２は本考案の交換用水洗金具とフレキシブルホースの接続部を示す断面図である。
【００１１】
図１において、交換用水洗金具1の先端の吐水口２は浄水器３が取り付け可能かつ別置き式の浄水器のホースに接続可能であり、後端は水道水配管に接続されたフレキシブルホース４に接続可能となっている。交換用水洗金具１は、水道水配管に固定された給水部５に着脱可能に接続される。
【００１２】
交換用水洗金具１の端部には、給水部５の接続筒６に挿入される挿入筒７が形成されている。挿入筒７の外周には回り止め突起８が形成され、給水部５の接続筒６の内周には、挿入筒７の回り止め突起８が案内される回り止め溝９が形成され、回り止め突起８と回り止め溝９が係合して交換用水洗金具１が回転するのを防止する。なお、回り止め突起８と回り止め溝９は、既設の水栓では、本実施例と逆に、挿入筒の外周に回り止め溝を設け、給水部の接続筒の内周に回り止め突起を設けて回り止めするものあるので、挿入筒の外周には給水部の接続筒の内周の回り止め溝あるいは回り止め突起のいずれにも係合する、回り止め突起と回り止め溝を併設することもできる。
【００１３】
交換用水洗金具１の挿入筒７の空間には、フレキシブルホース４を接続するとともに、水を吐水口２に向けて通水するホース接続用通水管１０が給水部側に突出している。ホース接続用通水管１０との端部と給水部から引き出されたフレキシブルホース４の端部は、従来の水洗金具とホースの接続と同様に、ねじ込み式にしたり、あるいは接続具１１により水密に接続してもよい。
【００１４】
本考案の交換用水洗金具の交換方法について説明する。
【００１５】
給水部５に接続されていた既設の浄水カートリッジ内蔵水洗金具を給水部５から引き出したのち、フレキシブルホース４の端部とホース接続用通水管の端部を接続している接続具１１を外してフレキシブルホース４から既設の水洗金具を外す。
【００１６】
次いで、交換用水洗金具１のホース接続用通水管１０とフレキシブルホースの端部を接続具１１により接続する。その後、交換用水洗金具１の吐水口２に浄水器３を取り付けるか、あるいは別置き式の浄水器のホースを接続することにより浄水能力をアップさせることができる。
【図面の簡単な説明】
【００１７】
【図１】（ａ）は本考案による交換用水洗金具を給水部に接続した状態を示す一部切り欠き断面図、（ｂ）は水洗金具を引き出した状態を示す一部切り欠き断面図である。
【図２】本考案の交換用水洗金具とフレキシブルホースの接続部を示す断面図である。
【図３】従来の浄水カートリッジ内蔵水洗金具を給水部に接続した状態を示す一部切り欠き断面図、（ｂ）は水洗金具を引き出した状態を示す一部切り欠き断面図である。
【符号の説明】
【００１８】
１：交換用水洗金具
２：吐水口
３：浄水器
４：フレキシブルホース
５：給水部
６：接続筒
７：挿入筒
８：回り止め突起
９：回り止め溝
１０：ホース接続用通水管
１１：接続具
２１：浄水カートリッジ内蔵水栓
２２：浄水カートリッジ
２３：吐水口